【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
物理上りリンク共用チャネルに関連する復調参照信号を基地局装置へ送信する端末装置であって、
セルスペシフィックパラメータに基づいて系列グループホッピングを有効または無効とする手段と、
ランダムアクセスプロシージャにおける、ランダムアクセスレスポンスグラントに対応する前記物理上りリンク共用チャネルでの送信を行う場合、または、トランスポートブロックの再送信に対応する前記物理上りリンク共用チャネルでの送信を行う場合を除いて、前記セルスペシフィックパラメータに基づいて前記系列グループホッピングを有効としているかどうかに関わらず、ユーザー装置スペシフィックパラメータに基づいて前記系列グループホッピングを無効とする手段と、
前記系列グループホッピングの有効または無効に基づいて、前記復調参照信号の系列を生成する手段と、を備える
ことを特徴とする端末装置。
【請求項２】
前記セルスペシフィックパラメータは、前記基地局装置から送信され、前記系列グループホッピングを有効または無効とするために使用され、
前記ユーザー装置スペシフィックパラメータは、前記基地局装置から送信され、前記系列グループホッピングを無効とするために使用される
ことを特徴とする請求項１に記載の端末装置。
【請求項３】
前記ランダムアクセスプロシージャにおけるトランスポートブロックの再送信に対応する前記物理上りリンク共用チャネルでの送信は、Ｔｅｍｐｏｒａｒｙ  Ｃ−ＲＮＴＩによってスクランブルされたＣＲＣパリティビットが付加された下りリンク制御情報フォーマットを使用して指示されることを特徴とする請求項１または請求項２に記載の端末装置。
【請求項４】
前記Ｔｅｍｐｏｒａｒｙ  Ｃ−ＲＮＴＩによってスクランブルされたＣＲＣパリティビットが付加された下りリンク制御情報フォーマットは、物理下りリンク制御チャネルで送信される
ことを特徴とする請求項３に記載の端末装置。
【請求項５】
Ｃ−ＲＮＴＩによってスクランブルされたＣＲＣパリティビットが付加された下りリンク制御情報フォーマットに対応する前記物理上りリンク共用チャネルでの送信を行う場合には、前記セルスペシフィックパラメータに基づいて前記系列グループホッピングを有効としているかどうかに関わらず、前記ユーザー装置スペシフィックパラメータに基づいて前記系列グループホッピングを無効とする手段を備える
ことを特徴とする請求項１から請求項４のいずれかに記載の端末装置。
【請求項６】
系列グループホッピングの有効または無効に基づいて系列が生成される復調参照信号であって、物理上りリンク共用チャネルに関連する前記復調参照信号を端末装置から受信する基地局装置であって、
前記系列グループホッピングを有効または無効とするために使用されるセルスペシフィックパラメータを前記端末装置へ送信する手段と、
前記系列グループホッピングを無効とするために使用されるユーザー装置スペシフィックパラメータを前記端末装置へ送信する手段と、を備え、
前記系列グループホッピングは、ランダムアクセスプロシージャにおける、ランダムアクセスレスポンスグラントに対応する前記物理上りリンク共用チャネルでの送信が行われる場合、または、トランスポートブロックの再送信に対応する前記物理上りリンク共用チャネルでの送信が行われる場合を除いて、前記セルスペシフィックパラメータを使用して前記系列グループホッピングが有効とされているかどうかに関わらず、前記ユーザー装置スペシフィックパラメータを使用して無効とされる
ことを特徴とする基地局装置。
【請求項７】
前記ランダムアクセスプロシージャにおけるトランスポートブロックの再送信に対応する前記物理上りリンク共用チャネルでの送信は、Ｔｅｍｐｏｒａｒｙ  Ｃ−ＲＮＴＩによってスクランブルされたＣＲＣパリティビットが付加された下りリンク制御情報フォーマットを使用して指示されることを特徴とする請求項６に記載の基地局装置。
【請求項８】
前記Ｔｅｍｐｏｒａｒｙ  Ｃ−ＲＮＴＩによってスクランブルされたＣＲＣパリティビットが付加された下りリンク制御情報フォーマットは、物理下りリンク制御チャネルで送信される
ことを特徴とする請求項７に記載の基地局装置。
【請求項９】
前記系列グループホッピングは、Ｃ−ＲＮＴＩによってスクランブルされたＣＲＣパリティビットが付加された下りリンク制御情報フォーマットに対応する前記物理上りリンク共用チャネルでの送信が行われる場合は、前記セルスペシフィックパラメータを使用して有効とされているかどうかに関わらず、前記ユーザー装置スペシフィックパラメータを使用して無効とされる
ことを特徴とする請求項６から請求項８のいずれかに記載の基地局装置。
【請求項１０】
物理上りリンク共用チャネルに関連する復調参照信号を基地局装置へ送信する端末装置の通信方法であって、
セルスペシフィックパラメータに基づいて系列グループホッピングを有効または無効とし、
ランダムアクセスプロシージャにおける、ランダムアクセスレスポンスグラントに対応する前記物理上りリンク共用チャネルでの送信を行う場合、または、トランスポートブロックの再送信に対応する前記物理上りリンク共用チャネルでの送信を行う場合を除いて、前記セルスペシフィックパラメータに基づいて前記系列グループホッピングを有効としているかどうかに関わらず、ユーザー装置スペシフィックパラメータに基づいて前記系列グループホッピングを無効とし、
前記系列グループホッピングの有効または無効に基づいて、前記復調参照信号の系列を生成する
ことを特徴とする通信方法。
【請求項１１】
系列グループホッピングの有効または無効に基づいて系列が生成される復調参照信号であって、物理上りリンク共用チャネルに関連する前記復調参照信号を端末装置から受信する基地局装置の通信方法であって、
前記系列グループホッピングを有効または無効とするために使用されるセルスペシフィックパラメータを前記端末装置へ送信し、
前記系列グループホッピングを無効とするために使用されるユーザー装置スペシフィックパラメータを前記端末装置へ送信し、
前記系列グループホッピングは、ランダムアクセスプロシージャにおける、ランダムアクセスレスポンスグラントに対応する前記物理上りリンク共用チャネルでの送信が行われる場合、または、トランスポートブロックの再送信に対応する前記物理上りリンク共用チャネルでの送信が行われる場合を除いて、前記セルスペシフィックパラメータを使用して前記系列グループホッピングが有効とされているかどうかに
関わらず、前記ユーザー装置スペシフィックパラメータを使用して無効とされる
ことを特徴とする通信方法。
【請求項１２】
物理上りリンク共用チャネルに関連する復調参照信号を基地局装置へ送信する端末装置に搭載される集積回路であって、
セルスペシフィックパラメータに基づいて系列グループホッピングを有効または無効とする機能と、
ランダムアクセスプロシージャにおける、ランダムアクセスレスポンスグラントに対応する前記物理上りリンク共用チャネルでの送信を行う場合、または、トランスポートブロックの再送信に対応する前記物理上り共用チャネルでの送信を行う場合を除いて、前記セルスペシフィックパラメータに基づいて前記系列グループホッピングを有効としているかどうかに関わらず、ユーザー装置スペシフィックパラメータに基づいて前記系列グループホッピングを無効とする機能と、
前記系列グループホッピングの有効または無効に基づいて、前記復調参照信号の系列を生成する機能と、を前記端末装置に発揮させる
ことを特徴とする集積回路。
【請求項１３】
系列グループホッピングの有効または無効に基づいて系列が生成される復調参照信号であって、物理上りリンク共用チャネルに関連する前記復調参照信号を端末装置から受信する基地局装置に搭載される集積回路であって、
前記系列グループホッピングを有効または無効とするために使用されるセルスペシフィックパラメータを前記端末装置へ送信する機能と、
前記系列グループホッピングを無効とするために使用されるユーザー装置スペシフィックパラメータを前記端末装置へ送信する機能と、を前記基地局装置に発揮させ、
前記系列グループホッピングは、ランダムアクセスプロシージャにおける、ランダムアクセスレスポンスグラントに対応する前記物理上りリンク共用チャネルでの送信が行われる場合、または、トランスポートブロックの再送信に対応する前記物理上りリンク共用チャネルでの送信が行われる場合を除いて、前記セルスペシフィックパラメータを使用して前記系列グループホッピングが有効とされているかどうかに関わらず、前記ユーザー装置スペシフィックパラメータを使用して無効とされる
ことを特徴とする集積回路。